(57)【特許請求の範囲】
【請求項１】
遊技機に供給される供給玉の玉数が予め定められた第１の設定個数に達する毎に出力される供給玉信号が入力される毎に、前記供給玉信号の入力回数をカウントする供給玉信号カウント手段と、
前記遊技機における賞態様の成立に起因して払い出される賞品玉の玉数が予め定められた第２の設定個数に達する毎に出力される賞品玉信号が入力される毎に、前記賞品玉信号の入力回数をカウントする賞品玉信号カウント手段と、
前記遊技機に対して予め設定されている単位金額当りの払出数の貸玉の払い出しが行われる毎に出力される売上信号が入力される毎に、前記売上信号の入力回数をカウントする売上信号カウント手段と、
前記供給玉信号の入力回数に前記第１の設定個数を乗じて供給玉数を算出し、
前記賞品玉信号の入力回数に前記第２の設定個数を乗じて賞品玉数を算出し、
前記供給玉数から前記賞品玉数を差し引いた結果を前記売上信号の入力回数で除すことにより貸玉の実払出数を算出する実払出数算出手段と、
前記単位金額当りの貸玉の払出数と前記貸玉の実払出数とを比較し、その差が所定範囲内であるか否かを判別し、前記所定範囲を超えている場合に貸玉の実払出数の異常と判別する実払出数異常判別手段と、
を備えた、
ことを特徴とする遊技機の払出数の異常検出装置。
【請求項２】
前記実払出数異常判別手段が、所定時間毎に前記貸玉の実払出数の異常であるか否かを判別することを特徴とする請求項１に記載の遊技機の払出数の異常検出装置。
【請求項３】
所定期間に亘って、
前記供給玉信号カウント手段は、前記供給玉信号の入力回数をカウントして累計し、
前記賞品玉信号カウント手段は、前記賞品玉信号の入力回数をカウントして累計し、
前記売上信号カウント手段は、前記売上信号の入力回数をカウントして累計し、
前記所定期間が経過すると、
前記実払出数算出手段が、前記供給玉信号の累計回数に前記第１の設定個数を乗じて供給玉の累計玉数を算出し、前記賞品玉信号の累計回数に前記第２の設定個数を乗じて賞品玉の累計玉数を算出し、前記供給玉の累計玉数から前記賞品玉の累計玉数を差し引いた結果を前記売上信号の累計回数で除すことにより貸玉の実払出数を算出し、
前記実払出数異常判別手段が、前記単位金額当りの貸玉の払出数と前記貸玉の実払出数とを比較し、その差が所定範囲内であるか否かを判別し、前記所定範囲を超えている場合に貸玉の実払出数の異常と判別する、
ことを特徴とする請求項２に記載の遊技機の払出数の異常検出装置。
【請求項４】
前記単位金額当りの貸玉の払出数を設定入力する設定入力手段を備えていることを特徴とする請求項１乃至請求項３のうちのいずれか１つに記載の遊技機の払出数の異常検出装置。
【発明の詳細な説明】
【０００１】
【発明の属する技術分野】
本発明は、遊技機に対して予め設定されている単位金額当りの貸玉の払出個数に比して、実際に払い出された貸玉の払出数が正常であるか、異常であるかをチェックし、貸玉の払出数異常を検出することのできる遊技機の払出数の異常検出装置に関するものである。
【０００２】
【従来の技術】
いわゆるＣＲ機といわれる遊技機においては、遊技機が、カード式玉貸機から玉貸信号を受けて、遊技玉（貸玉）の払い出しを行っている。これらの遊技機においては、単位金額当りの貸玉数は、１通りのみ（例えば、１００円で２５個）であった。しかし、消費税外税が認可される等により、単位金額当りの払出数（貸玉数）が、例えば、１００円で２５個の遊技機と、１００円で２４個の遊技機とが同じ遊技ホールに設置されるように複数存在するケースが発生する可能性がある。
【０００３】
各遊技機について、単位金額当リの貸玉数が複数存在する場合、何らかの理由で誤って本来とは違う払出数の遊技機が混在したり、不正行為等で故意に払出数が異なるように改造されたりする虞がある。例えば、大当り遊技等の特別遊技中に、無線等の操作により、不正に多量の出玉を排出させる場合、異常検出が困難である。
【０００４】
【発明が解決しようとする課題】
本発明の目的は、各遊技機のデータを管理するホールコンピュータにて、予め設定された各遊技機の単位金額当りの払出個数と各遊技機の実際の払出数とを比較し、異常であるかどうかを判断することができる遊技機の払出数の異常検出装置を提供することにある。
【０００５】
【課題を解決するための手段】
請求項１に係る遊技機の払出数の異常検出装置は、
遊技機に供給される供給玉の玉数が予め定められた第１の設定個数に達する毎に出力される供給玉信号が入力される毎に、前記供給玉信号の入力回数をカウントする供給玉信号カウント手段と、
前記遊技機における賞態様の成立に起因して払い出される賞品玉の玉数が予め定められた第２の設定個数に達する毎に出力される賞品玉信号が入力される毎に、前記賞品玉信号の入力回数をカウントする賞品玉信号カウント手段と、
前記遊技機に対して予め設定されている単位金額当りの払出数の貸玉の払い出しが行われる毎に出力される売上信号が入力される毎に、前記売上信号の入力回数をカウントする売上信号カウント手段と、
前記供給玉信号の入力回数に前記第１の設定個数を乗じて供給玉数を算出し、
前記賞品玉信号の入力回数に前記第２の設定個数を乗じて賞品玉数を算出し、
前記供給玉数から前記賞品玉数を差し引いた結果を前記売上信号の入力回数で除すことにより貸玉の実払出数を算出する実払出数算出手段と、
前記単位金額当りの貸玉の払出数と前記貸玉の実払出数とを比較し、その差が所定範囲内であるか否かを判別し、前記所定範囲を超えている場合に貸玉の実払出数の異常と判別する実払出数異常判別手段と、
を備えた、ことを特徴とする。
【０００６】
請求項２に係る遊技機の払出数の異常検出装置は、請求項１に記載のものにおいて、前記実払出数異常判別手段が、所定時間毎に前記貸玉の実払出数の異常であるか否かを判別することを特徴とするものである。
【０００７】
請求項３に係る遊技機の払出数の異常検出装置は、請求項２に記載のものにおいて、
所定期間に亘って、
前記供給玉信号カウント手段は、前記供給玉信号の入力回数をカウントして累計し、
前記賞品玉信号カウント手段は、前記賞品玉信号の入力回数をカウントして累計し、
前記売上信号カウント手段は、前記売上信号の入力回数をカウントして累計し、
前記所定期間が経過すると、
前記実払出数算出手段が、前記供給玉信号の累計回数に前記第１の設定個数を乗じて供給玉の累計玉数を算出し、前記賞品玉信号の累計回数に前記第２の設定個数を乗じて賞品玉の累計玉数を算出し、前記供給玉の累計玉数から前記賞品玉の累計玉数を差し引いた結果を前記売上信号の累計回数で除すことにより貸玉の実払出数を算出し、
前記実払出数異常判別手段が、前記単位金額当りの貸玉の払出数と前記貸玉の実払出数とを比較し、その差が所定範囲内であるか否かを判別し、前記所定範囲を超えている場合に貸玉の実払出数の異常と判別する、ことを特徴とするものである。
【０００８】
請求項４に記載の遊技機の払出数の異常検出装置は、請求項１乃至請求項３のうちのいずれか１つに記載のものにおいて、前記単位金額当りの貸玉の払出数を設定入力する設定入力手段を備えていることを特徴とするものである。
【０００９】
【発明の実施の形態】
以下、図面を参照しつつ本発明の実施の形態を説明する。図１は、本発明の実施形態に係る遊技機の払出数の異常検出装置１の概略ブロック図である。図１において、セーフカウンタ５は、遊技機２への供給玉（パチンコ玉）の入口部に配設されており、例えば、セーフカウンタ５に１０個パチンコ玉が通過する毎に１パルスの供給玉信号が出力され、該供給玉信号はホールコンピュータ３に入力される。また、アウトカウンタ６は、遊技機２からの排出玉の出口部に配設されており、例えば、アウトカウンタに１０個パチンコ玉が通過する毎に１パルスの排出玉信号が出力され、この排出玉信号はホールコンピュータ３に入力される。
【００１０】
玉貸機（カードユニット）４は、具体的な構成は図示していないが、カード挿入口より挿入されたプリペイドカードの有価データを読み取ると共に、玉貸スイッチを遊技客が操作することに応じて、玉貸信号を出力することで、遊技機２に設けられた玉排出装置（図示せず）から所定数の遊技玉（貸玉）の貸し出し（例えば、１回の玉貸し操作につき２５個）を指示し、貸し出した遊技玉に相当する金額を減算した値にプリペイドカードの有価データを書き換え、カード返却スイッチを遊技客が選択するか、もしくはプリペイドカードの有価データの残数が０になった場合に、カード挿入口へ挿入されたプリペイドカードを排出するように構成されたものである。また、玉貸機４は、貸玉の払い出し毎に対応して売上信号が出力され、例えば、１００円で（１回の玉貸し操作につき１００円）１パルスの売上信号が出力され、該売上信号はホールコンピュータ３に入力される。さらに、遊技機２は、賞態様の成立に起因して払い出される賞品玉の玉数情報として、１０個で１パルスの賞品玉信号が出力され、該賞品玉信号がホールコンピュータ３に入力される。
【００１１】
ホールコンピュータ３は、これらの信号を使用して、すなわち、供給玉１０個毎に出力される供給玉信号（１パルス）と、賞品玉１０個毎に出力される賞品玉信号（１パルス）と、貸玉の払い出し毎に対応して出力される売上信号（１パルス）とを入力し、それぞれのパルス数をカウントし、供給玉の玉数から賞品玉の玉数を差し引いた結果を売上出力の回数で除すことにより貸玉の実払出数を算出し、遊技機に対して予め設定されている単位金額当りの貸玉の払出数と貸玉の実払出数とを比較し、比較結果により貸玉の実払出数の異常を検出するのである。
【００１２】
ここで、供給玉のカウント数をＡ、売上出力のカウント数をＢ、賞品玉のカウント数をＣとする。このとき、遊技機に供給されるパチンコ玉の供給玉数は、１０×Ａ個、また、遊技機から放出される玉数は、（貸玉として払い出される玉数）＋（賞品玉として払い出される玉数）となり、この遊技機の１００円当りの貸玉の実払出数をｙとすると、遊技機から放出される玉数は、Ｂ×ｙ個＋１０×Ｃ個になる。したがって、遊技機に供給される玉数と遊技機から放出される玉数が一致するとすれば、１０×Ａ個＝Ｂ×ｙ個＋１０×Ｃ個の関係が成り立つ。これに基づいて、貸玉の実払出数ｙを求めると、ｙ＝１０×Ａ−１０×Ｃ／Ｂとなる。即ち、貸玉の実払出数は、供給玉の玉数から賞品玉の玉数を差し引いた結果を売上出力の回数で除すことにより求められる。そして、ここで、算出されたｙの値とホールコンピュータに設定入力された貸玉の払出数とを比較することで、各遊技機の払出数が正常であるか異常であるかの判断が可能となる。
【００１３】
また、ホールに設置されている各遊技機に対して設定されている単位金額当りの貸玉の払出数は、例えば、ホールコンピュータ３のキーボード装置等の設定入力手段により設定変更が可能とされている。図４は、ホールコンピュータ３のディスプレイ装置等による単位金額当りの貸玉の払出個数の設定画面の一態様を示す図である。貸玉の払出個数の設定画面には、「下記の数値を設定してください。」の旨と共に、台番号、単位金額及び貸玉の払出数、実行キー及び取消キーが表示される。この画面において、例えば、１番台から１００番台、１００円当り２５個払い出し等の入力を行う。
【００１４】
ホールコンピュータ３は、上述した貸玉の実払出数の算出を所定時間毎に（例えば、開店時から３０分毎に）行う。また、ホールコンピュータ３は、供給玉のカウント数、売上出力のカウント数、賞品玉のカウント数をそれぞれ累計し、供給玉の累計玉数から賞品玉の累計玉数を差し引いた結果を売上出力の累計回数で除すことにより貸玉の実払出数を算出する。
【００１５】
図２は、ホールコンピュータ３が実行する貸玉の払出個数の設定処理のフローチャートである。なお、貸玉の払出個数の設定処理は、ホールコンピュータ３のキーボード装置のファンクションキー等を操作入力することにより開始される。ホールコンピュータ３は、貸玉の払出個数の設定処理を開始すると、ホールコンピュータ３のディスプレイ装置等による単位金額当りの貸玉の払出個数の設定画面を表示し（ステップＡ０１）、台番号、単位金額及び貸玉の払出数の数値入力と、実行キー及び取消キーへの操作入力を受け付ける（ステップＡ０２、ステップＡ０３、ステップＡ０５）。ホールコンピュータ５は、ステップＡ０３の台番号、単位金額及び貸玉の払出数の数値入力と、ステップＡ０３の実行キーへの操作入力と、ステップＡ０５の取消キーへの操作入力とを繰り返し行う。
【００１６】
オペレータにより、例えば、１番台から１００番台、１００円当り２５個払い出し等の入力を行われ、画面に表示された実行キーが操作入力（例えば、マウス等によるクリック）されると、ホールコンピュータ５はステップＡ０３を真と判別し、入力された台番号、単位金額及び貸玉の払出数の数値をメモリの所定領域に記憶し（ステップＡ０４）、ステップＡ０５に移行して取消キーへの操作入力がなければステップＡ０２に戻り、次の台番号、単位金額及び貸玉の払出数の数値入力と、実行キー及び取消キーへの操作入力を受け付ける。
【００１７】
また、オペレータにより、画面に表示された取消キーが操作入力（例えば、マウス等によるクリック）されると、ホールコンピュータ５はステップＡ０５を真と判別し、貸玉の払出個数の設定処理を終える。
【００１８】
図３は、ホールコンピュータ３が実行する貸玉の実払出数チェック処理のフローチャートである。なお、図３においては、ホールに設置されている複数の遊技機のうちの１つ、例えば、ホールに台番号１〜１００まで設置されている場合、そのうちの１つである台番号１の遊技機、についての貸玉の実払出数チェック処理を示しているが、以下に説明する貸玉の実払出数チェック処理は、ホールに設置されている全ての遊技機について行われるものである。
【００１９】
ホールコンピュータ３は、貸玉の実払出数チェック処理を開始すると、セーフカウンタ５からの供給玉信号の入力があるか否かを判別する（ステップＢ０１）。ホールコンピュータ３は、供給玉信号の入力があれば供給玉信号カウンタの値を１つアップし（ステップＢ０２）、ステップＢ０３に移行する一方、供給玉信号の入力がなければ直接ステップＢ０３に移行する。
【００２０】
ステップＢ０３に移行したホールコンピュータ３は、遊技機２からの賞品玉信号の入力があるか否かを判別する（ステップＢ０３）。ホールコンピュータ３は、賞品玉信号の入力があれば賞品玉信号カウンタの値を１つアップし（ステップＢ０４）、ステップＢ０５に移行する一方、賞品玉信号の入力がなければ直接ステップＢ０５に移行する。
【００２１】
ステップＢ０５に移行したホールコンピュータ３は、玉貸機４からの売上信号の入力があるか否かを判別する（ステップＢ０５）。ホールコンピュータ３は、売上信号の入力があれば売上信号カウンタの値を１つアップし（ステップＢ０６）、ステップＢ０７に移行する一方、売上信号の入力がなければ直接ステップＢ０７に移行する。なお、上述した供給玉信号カウンタ、賞品玉信号カウンタ及び売上信号カウンタの初期値は、ホールコンピュータ３が実行する開店処理により、開店時は初期値０とされている。
【００２２】
ステップＢ０７に移行したホールコンピュータ３は、貸玉の実払出数を算出するまでのインターバル時間を計時するタイマがアップしているか否かを判別する（ステップＢ０７）。なお、実施形態では貸玉の実払出数の算出を開店時から３０分毎に行う。開店時のタイマの値は３０分に相当する値がセットされており、ホールコンピュータ３は、ステップＢ０７を偽と判別してタイマの減算処理を行い（ステップＢ０８）、ステップＢ０８を終えると再びステップＢ０１に戻る。
【００２３】
以下、ホールコンピュータ３は、タイマがアップするまでの間、ステップＢ０１乃至ステップＢ０７の処理とステップＢ０８のタイマの減算処理を繰り返す。そして、タイマにセットされている所定時間が経過すると、ステップＢ０７の判別結果が真となり、ホールコンピュータ３は、タイマに所定時間（３０分）に相当する値がセットし（ステップＢ０９）、供給玉数から賞品玉数を差し引いた結果を売上回数で除すことにより貸玉の実払出数を算出する（ステップＢ１０）。
【００２４】
次いで、ホールコンピュータ３は、設定されている貸玉の払出数をメモリから読み出し（ステップＢ１１）、ステップＢ１０で求めた貸玉の実払出数と設定されている貸玉の払出数とを比較して同じとなっているか否かを判別する（ステップＢ１２）。ホールコンピュータ３は、貸玉の実払出数と設定されている貸玉の払出数とが同じであれば、台番号と共に貸玉払出数の正常をディスプレイ装置（図示せず）に表示し（ステップＢ１３）、ステップＢ０１に戻る。一方、貸玉の実払出数と設定されている貸玉の払出数とが同じでなければ、台番号と共に貸玉払出数の異常をディスプレイ装置（図示せず）に表示し（ステップＢ１４）、ステップＢ０１に戻る。なお、貸玉の実払出数は、小数点第１位を四捨五入した値が設定されている貸玉の払出数とが同じであるか否かによって判別する。例えば、ステップＢ１０で求めた貸玉の実払出数が２５．１であり、設定されている貸玉の払出数が２５個であれば、貸玉の払出数は正常と判別される。
【００２５】
図５は、遊技機の３０分間毎の供給玉数、売上回数、賞品玉数のホールコンピュータの入力値により、先に説明したように貸玉の払出数を求めたものを表形式で示した図である。貸玉の払出数が正常の場合、この払出数はほぼ一定となり、予め正常時の払出数が入力されていれば、この値とほぼ一致する。図５は、貸玉の払出数が２５個に設定された遊技機が、１３：３０〜１４：００の間に不正に２０００個の遊技玉を払い出された場合の例示である。図５に示すように、貸玉の払出数が３７．２と算出され、貸玉の払出数異常を検出することができる。
【００２６】
以上、実施形態について述べたが、玉貸機４からの売上出力は、玉貸機４から出力されるとしたが、遊技機２から出力されても同様なことが可能である。また、賞品玉出力、供給玉出力についても遊技機２から出力されること想定されるが、同様の対応が可能である。また、上記の説明では、パチンコ玉が１０個に対して１パルスの出力を想定したが、１個に対して１パルスに出力にすることで、異常検出の精度を高めることもできる。
【００２７】
【発明の効果】
請求項１に記載の構成によれば、不正に多量の出玉を排出された場合、貸玉の払出数異常を検出することができる。請求項２に記載の構成によれば、所定時間毎に貸玉の払出数がチェックされるので、高い確率で貸玉の払出数異常を検出することができる。請求項３に記載の構成によれば、累計により貸玉の実払出数を求めるので、貸玉の実払出数が確かなものとなり、信頼できる。請求項４に記載の構成によれば、単位金額当りの貸玉の払出数を設定入力できるので、消費税外税が認可される等により、単位金額当りの貸玉の払出数が変更された場合でも対応することができ、単位金額当りの貸玉の払出数を変更することができる。
【図面の簡単な説明】
【図１】本発明の実施形態に係る遊技機の払出数の異常検出装置の概略ブロック図
【図２】ホールコンピュータが実行する貸玉の払出個数の設定処理のフローチャート
【図３】ホールコンピュータが実行する貸玉の実払出数チェック処理のフローチャート
【図４】ホールコンピュータのディスプレイ装置による単位金額当りの貸玉の払出個数の設定画面の一態様を示す図
【図５】遊技機の３０分間毎の供給玉数、売上回数、賞品玉数のホールコンピュータの入力値により貸玉の払出数を求めたものを表形式で示した図
【符号の説明】
１  異常検出装置
２  遊技機
３  ホールコンピュータ
４  玉貸機
５  セーフカウンタ
６  アウトカウンタ
【図１】
0004706052.tif 000002
【図２】
0004706052.tif 000003
【図３】
0004706052.tif 000004
【図４】
0004706052.tif 000005
【図５】
0004706052.tif 000006